(57)【要約】【課題】分析装置用容器から液体を分注する際に、吸引管とともに分析装置用容器が持ち上げられることを抑制することが可能な分析装置用容器を提供する。【解決手段】この分析装置用容器１００は、外周にネジ溝２０２を有する開口２０１を含む試薬容器２００内に、開口２０１を介して挿入可能な分析装置用容器１００であって、試薬を収容し、開口２０１から試薬容器２００内に挿入可能な収容部１と、収容部１の外側に設けられ、試薬容器２００の開口２０１の外周に設けられたネジ溝２０２に係合することにより収容部１を試薬容器２００に固定可能な固定部２とを備える。【選択図】図１
2015025687.tif 000002
【特許請求の範囲】
【請求項１】
外周にネジ溝を有する開口を含む試薬容器内に、前記開口を介して挿入可能な分析装置用容器であって、
液体を収容し、前記開口から前記試薬容器内に挿入可能な収容部と、
前記収容部の外側に設けられ、前記試薬容器の前記開口の外周に設けられた前記ネジ溝に係合することにより前記収容部を前記試薬容器に固定可能な固定部とを備える、分析装置用容器。
【請求項２】
前記固定部は、前記ネジ溝に係合する爪部を含む、請求項１に記載の分析装置用容器。
【請求項３】
前記爪部は、複数設けられ、
複数の前記爪部のうち、少なくとも、１組の前記爪部は互いに対向するように構成されている、請求項２に記載の分析装置用容器。
【請求項４】
前記収容部は、開口を含む検体容器の前記開口を介して挿入可能であり、
前記固定部の前記収容部の底部側に形成されるとともに内周面を有するフランジ部をさらに備え、
前記フランジ部の内周面は、前記固定部の内径よりも大きい内径を有するとともに前記試薬容器とは異なる前記検体容器の外周に係合するように構成されている、請求項１〜３のいずれか１項に記載の分析装置用容器。
【請求項５】
前記収容部は、開口を含む検体容器の前記開口を介して挿入可能であり、
前記固定部の内周面は、前記検体容器の外周に係合するように構成されている、請求項１〜３のいずれか１項に記載の分析装置用容器。
【請求項６】
前記収容部は、前記固定部により前記試薬容器に着脱可能な状態で固定される、請求項１〜５のいずれか１項に記載の分析装置用容器。
【請求項７】
前記固定部は、孔部を有し、
前記孔部は、前記ネジ溝に対する前記固定部の係合状態を視認可能な位置に配置されている、請求項１〜６のいずれか１項に記載の分析装置用容器。
【請求項８】
前記収容部は、略円筒形状に形成され、
前記収容部の側面には、前記収容部の長手方向に沿って延びる複数のリブが形成され、
前記複数のリブは、前記収容部の底部側の先端部から突出するように形成されている、請求項１〜７のいずれか１項に記載の分析装置用容器。
【請求項９】
少なくとも前記固定部は、樹脂製であるとともに、ガラス製の前記試薬容器に固定可能なように構成されている、請求項１〜８のいずれか１項に記載の分析装置用容器。
【請求項１０】
少なくとも前記収容部は、略透明である、請求項１〜９のいずれか１項に記載の分析装置用容器。
【請求項１１】
前記収容部および前記固定部が一体成形により形成されている、請求項１〜１０のいずれか１項に記載の分析装置用容器。
【請求項１２】
外周にネジ溝を有する開口を備えた試薬容器と、
前記試薬容器の前記開口を介して前記試薬容器に挿入可能な分析装置用容器とを備え、
前記分析装置用容器は、
分析に使用される試薬を収容する収容部と、
前記収容部の外側に設けられ、前記試薬容器の前記開口の外周に設けられた前記ネジ溝に係合することにより前記収容部を前記試薬容器に固定可能な固定部とを含む、分析装置用容器セット。
【請求項１３】
前記分析装置用容器は、前記試薬容器に収容された試薬に加えて、検体容器に収容された検体を移し替えることが可能であり、前記固定部の前記収容部の底部側に形成されるとともに内周面を有するフランジ部を含み、
前記収容部は、試薬に加えて、検体を収容可能なように構成されており、
前記フランジ部の内周面は、前記固定部の内径よりも大きい内径を有するとともに前記検体容器の外周に係合するように構成されている、請求項１２に記載の分析装置用容器セット。
【発明の詳細な説明】
【技術分野】
【０００１】
本発明は、分析装置用容器および分析装置用容器セットに関し、特に、液体を収容する収容部を含む分析装置用容器、および、この分析装置用容器を備える分析装置用容器セットに関する。
【背景技術】
【０００２】
従来、液体を収容する収容部を含む小容量試薬容器などの分析装置用容器が知られている（たとえば、特許文献１参照）。
【０００３】
上記特許文献１には、開口を備えた試薬容器内に装着される小容量試薬容器が開示されている。この小容量試薬容器は、試薬を収容する収容部を含み、試薬容器の開口を介して試薬容器に挿入可能なように構成されている。この収容部は、試薬容器の底面積よりも小さい底面積を有している。また、試薬容器に収容されている試薬は、収容部に移し替えられ吸引管により分注される。
【先行技術文献】
【特許文献】
【０００４】
【特許文献１】特開２００８−２２４２９７号公報
【発明の概要】
【発明が解決しようとする課題】
【０００５】
しかしながら、吸引管を用いて小容量試薬容器から試薬を分注する際に、例えばセンサー等の故障や誤動作により吸引管が小容量試薬容器の収容部の底に当接してしまう場合がある。この場合には、例えば吸引管の吸引や鋭利に形成された先端が底部に刺さることにより、吸引管が上昇するに伴って小容量試薬容器が持ち上げられ、小容量試薬容器が試薬容器から抜け出てしまうことがある。そして、持ち上げられた小容量試薬容器が吸引管から外れて落下した場合には、小容量試薬容器内の試薬が散乱するという問題点がある。
【０００６】
この発明は、上記のような課題を解決するためになされたものであり、この発明の１つの目的は、分析装置用容器から液体を分注する際に、吸引管とともに分析装置用容器が持ち上げられることを抑制することが可能な分析装置用容器および分析装置用容器セットを提供することである。
【課題を解決するための手段】
【０００７】
この発明の第１の局面による分析装置用容器は、外周にネジ溝を有する開口を含む試薬容器内に、開口を介して挿入可能な分析装置用容器であって、液体を収容し、開口から試薬容器内に挿入可能な収容部と、収容部の外側に設けられ、試薬容器の開口の外周に設けられたネジ溝に係合することにより収容部を試薬容器に固定可能な固定部とを備える。
【０００８】
この発明の第１の局面による分析装置用容器では、上記のように、収容部の外側に設けられ、試薬容器の開口の外周に設けられたネジ溝に係合して収容部を試薬容器に固定可能な固定部を設けることによって、固定部とネジ溝とを係合することにより収容部を試薬容器に確実に固定することができるので、吸引管を用いて分析装置用容器から液体を分注する際に、例えばセンサー等の故障や誤動作により吸引管が収容部（分析装置用容器）の底に当接し、例えば吸引管の吸引や鋭利に形成された先端が底部に刺さることにより、吸引管が上昇するに伴って、吸引管とともに分析装置用容器が持ち上げられることを抑制することができる。その結果、収容部（分析装置用容器）が試薬容器から抜け出るのを抑制することができるので、分析装置用容器から液体を分注する際に、分析装置用容器内の液体が散乱するのを抑制することができる。
【０００９】
上記第１の局面による分析装置用容器において、好ましくは、固定部は、ネジ溝に係合する爪部を含む。このように構成すれば、分析装置用容器の爪部を試薬容器のネジ溝に係合させる簡易な構造により、収容部を試薬容器に固定することができる。
【００１０】
この場合、好ましくは、爪部は、複数設けられ、複数の爪部のうち、少なくとも、１組の爪部は互いに対向するように構成されている。このように構成すれば、互いに対向する１組の爪部により試薬容器のネジ溝を挟み込んだ状態で爪部をネジ溝に係合させることができるので、安定した状態で収容部を試薬容器に固定することができる。
【００１１】
上記第１の局面による分析装置用容器において、好ましくは、収容部は、開口を含む検体容器の開口を介して挿入可能であり、固定部の収容部の底部側に形成されるとともに内周面を有するフランジ部をさらに備え、フランジ部の内周面は、固定部の内径よりも大きい内径を有するとともに試薬容器とは異なる検体容器の外周に係合するように構成されている。このように構成すれば、固定部とフランジ部とにより、それぞれ、試薬容器と試薬容器とは異なる検体容器とに分析装置用容器を固定することができるので、試薬容器および検体容器に分析装置用容器を固定する場合でも、試薬容器および検体容器ごとに専用の分析装置用容器を設ける必要がない。その結果、ユーザの利便性を向上させることができる。
【００１２】
上記第１の局面による分析装置用容器において、好ましくは、収容部は、開口を含む検体容器の開口を介して挿入可能であり、固定部の内周面は、検体容器の外周に係合するように構成されている。このように構成すれば、固定部により、それぞれ、試薬容器と、試薬容器とは異なる検体容器とに分析装置用容器を固定することができるので、試薬容器および検体容器に分析装置用容器を固定する場合でも、試薬容器および検体容器ごとに専用の分析装置用容器を設ける必要がない。その結果、ユーザの利便性をより向上させることができる。
【００１３】
上記第１の局面による分析装置用容器において、好ましくは、収容部は、固定部により試薬容器に着脱可能な状態で固定される。このように構成すれば、一旦、分析装置用容器を試薬容器に固定した後、分析装置用容器を試薬容器から取り外す必要が生じた場合でも、容易に、分析装置用容器を試薬容器から取り外すことができる。また、一旦、分析装置用容器を試薬容器に固定した後、分析装置用容器を試薬容器から取り外すことができるので、容易に、分析装置用容器と試薬容器とを分別して廃棄することができる。
【００１４】
上記第１の局面による分析装置用容器において、好ましくは、固定部は、孔部を有し、孔部は、ネジ溝に対する固定部の係合状態を視認可能な位置に配置されている。このように構成すれば、孔部を介して、ネジ溝に対する固定部の係合状態を容易に視認することができる。
【００１５】
上記第１の局面による分析装置用容器において、好ましくは、収容部は、略円筒形状に形成され、収容部の側面には、収容部の長手方向に沿って延びる複数のリブが形成され、複数のリブは、収容部の底部側の先端部から突出するように形成されている。このように構成すれば、複数のリブにより分析装置用容器を単体でもテーブルなどの上に安定して配置することができる。
【００１６】
上記第１の局面による分析装置用容器において、好ましくは、少なくとも固定部は、樹脂製であるとともに、ガラス製の試薬容器に固定可能なように構成されている。このように構成すれば、樹脂により爪部などを有する固定部を容易に形成することができる。また、ガラス製の試薬容器を用いる場合、固定部が樹脂製の分析装置用容器に対して分析装置用容器の自重が大きくなるので、分析装置用容器から液体を分注する際に、吸引管が上昇するに伴って、試薬容器に固定された収容部が試薬容器と共に持ち上げられるのを抑制することができる。
【００１７】
上記第１の局面による分析装置用容器において、好ましくは、少なくとも収容部は、略透明である。このように構成すれば、液体を収容部に収容した際に、気泡などが混入したか否かを容易に確認することができる。
【００１８】
上記第１の局面による分析装置用容器において、好ましくは、収容部および固定部が一体成形により形成されている。このように構成すれば、別個に形成した収容部および固定部を一体化して分析装置用容器を形成する場合とは異なり、部品点数を削減することができる。
【００１９】
この発明の第２の局面による分析装置用容器セットは、外周にネジ溝を有する開口を備えた試薬容器と、試薬容器の開口を介して試薬容器に挿入可能な分析装置用容器とを備え、分析装置用容器は、分析に使用される試薬を収容する収容部と、収容部の外側に設けられ、試薬容器の開口の外周に設けられたネジ溝に係合することにより収容部を試薬容器に固定可能な固定部とを含む。
【００２０】
この発明の第２の局面による分析装置用容器セットでは、上記のように、収容部の外側に設けられ、試薬容器の開口の外周に設けられたネジ溝に係合して収容部を試薬容器に固定可能な固定部を設けることによって、固定部とネジ溝とを係合することにより収容部を試薬容器に確実に固定することができるので、吸引管を用いて分析装置用容器から試薬を分注する際に、例えばセンサー等の故障や誤動作により吸引管が収容部（分析装置用容器）の底に当接し、例えば吸引管の吸引や鋭利に形成された先端が底部に刺さることにより、吸引管が上昇するに伴って、吸引管とともに分析装置用容器が持ち上げられることを抑制することができる。その結果、収容部（分析装置用容器）が試薬容器から抜け出るのを抑制することができるので、分析装置用容器から分析に使用される試薬を分注する際に、分析装置用容器内の分析に使用される試薬が散乱するのを抑制することができる。また、試薬容器の開口の外周に設けられるキャップ装着用のネジ溝を固定部を係合させるための係合部として流用することができるので、専用の容器を設ける必要がない。
【００２１】
上記第２の局面による分析装置用容器セットにおいて、好ましくは、分析装置用容器は、試薬容器に収容された試薬に加えて、検体容器に収容された検体を移し替えることが可能であり、固定部の収容部の底部側に形成されるとともに内周面を有するフランジ部を含み、収容部は、試薬に加えて、検体を収容可能なように構成されており、フランジ部の内周面は、固定部の内径よりも大きい内径を有するとともに検体容器の外周に係合するように構成されている。このように構成すれば、固定部とフランジ部とにより、試薬容器と試薬容器とは異なる検体容器とに分析装置用容器を固定することができるので、試薬容器および検体容器ごとに専用の分析装置用容器を設ける必要がない。その結果、ユーザの利便性を向上させることができる。
【発明の効果】
【００２２】
本発明によれば、分析装置用容器から液体を分注する際に、吸引管とともに分析装置用容器が持ち上げられることを抑制することができる。
【図面の簡単な説明】
【００２３】
【図１】本発明の一実施形態による分析装置用容器および試薬容器を示した斜視図である。
【図２】本発明の一実施形態による分析装置用容器を試薬容器に固定した状態を示した斜視図である。
【図３】本発明の一実施形態による分析装置用容器を採血管およびラックに取り付けた状態を示した斜視図である。
【図４】本発明の一実施形態による分析装置用容器を固定した試薬容器を検体分析装置に配置した状態を示した図である。
【図５】図２の８００−８００線に沿った断面図である。
【図６】本発明の一実施形態による分析装置用容器の底面側を示した図である。
【図７】本発明の一実施形態による分析装置用容器の側面を示した図である。
【図８】本発明の一実施形態による分析装置用容器の上面側を示した図である。
【図９】図３の９００−９００線に沿った断面図である。
【発明を実施するための形態】
【００２４】
以下、本発明の実施形態を図面に基づいて説明する。
【００２５】
まず、図１〜図９を参照して、本発明の一実施形態による分析装置用容器１００の全体構成について説明する。
【００２６】
本発明の一実施形態による分析装置用容器１００は、図１および図２に示すように試薬容器２００に装着され、分析装置用容器セット３００を構成する。また、分析装置用容器１００は、ラック２５０、採血管２６０および２７０（図３参照）の各々に装着可能に構成され、これらに装着されて分析装置用容器セット３１０を構成する。試薬容器２００に収容されている試薬は、試薬容器２００に装着された分析装置用容器１００（後述する収容部１）に移し替えて使用される。また、採血管２６０および２７０などに収容されている検体は、ラック２５０、採血管２６０および２７０に装着された分析装置用容器１００に移し替えて使用される。また、試薬（検体）が分析装置用容器１００に移し替えられた試薬容器２００（採血管２６０など）は、検体分析装置５００（図４参照）の所定位置に設置された状態で使用される。本実施形態の検体分析装置５００には、試薬として、分析用試料を調製するための試薬の他、コントロール血液や標準試料（キャリブレータ）等も設置されている。
【００２７】
検体分析装置５００は、図４に示すように、測定装置５１０と、測定装置５１０の前面側に配置された搬送装置５２０とにより構成されている。測定装置５１０は、装置本体の筐体５００ａ内に収容されている。
【００２８】
測定装置５１０は、搬送装置５２０から供給された検体から調製された試料に対して光学的な測定を行うことにより、検体の成分を分析することが可能なように構成されている。搬送装置５２０には、採血管２６０や採血管２７０を保持させたラック２５０が設置される。この検体分析装置５００では、搬送装置５２０の採血管２６０および２７０（ラック２５０）に装着された分析装置用容器１００から、測定装置５１０の図示しないキュベット（反応容器）内に検体が分注される。
【００２９】
また、検体分析装置５００は、検体および試薬を吸引し吐出する吸引管として先端が鋭利に形成されたピアサーを含む第１分注部５１２ａを備えている。第１分注部５１２ａにより、搬送装置５２０の搬送路５２１上の検体吸引位置Ｐ１に搬送されたラック２５０から、採血管２６０（２７０）内の分析装置用容器１００に収容された検体を吸引し、所定の検体分注位置に配置されたキュベットに検体を分注するように検体分析装置５００が構成されている。また、第１分注部５１２ａは、ピアサーにより分注対象の試薬容器２００に装着された分析装置用容器１００から試薬を吸引し、所定の分注位置に配置されたキュベットに試薬を分注するように構成されている。
【００３０】
また、検体分析装置５００は、第１容器セット部５１１ａ、第２容器セット部５１１ｂ、第２分注部５１２ｂおよびキュベット移送部５１３を備えている。第１容器セット部５１１ａには、検体から分析用試料を調製する際に添加される種々の試薬が収容される複数の分析装置用容器１００が固定された試薬容器２００が設置される。また、第２容器セット部５１１ｂには、検体から分析用試料を調製する際に添加される種々の試薬が収容される試薬容器２００が設置される。
【００３１】
第２分注部５１２ｂは、試薬を分注するピペット（吸引管）を備え、第２容器セット部５１１ｂの上方および試薬分注位置Ｐ２を含む領域を移動可能に構成されている。第２分注部５１２ｂは、ピペットにより分注対象の試薬容器２００から試薬を吸引し、試薬分注位置Ｐ２に配置されたキュベットに試薬を分注するように構成されている。
【００３２】
キュベット移送部５１３は、所定の検体分注位置、試薬分注位置Ｐ２および検出部（図示せず）などの各部へキュベットを移送する機能を有する。また、検体や試薬が分注されたキュベットは検出部に移送された後、検出部により分析用試料の光学的な測定が行われ、検体の成分が分析される。
【００３３】
次に、分析装置用容器１００の構造について詳細に説明する。
【００３４】
分析装置用容器１００は、図１および図２に示すように、外周にネジ溝２０２を有する開口２０１を備えた試薬容器２００内に、開口２０１を介して（開口２０１から）挿入可能なように構成されている。そして、分析装置用容器１００は、固定部２により試薬容器２００に着脱可能に固定されるように構成されている。また、試薬容器２００は、ガラスにより形成されている。なお、ネジ溝２０２は、試薬容器２００に装着されるキャップと螺合するために形成されている。
【００３５】
ここで、分析装置用容器１００は、図１に示すように、収容部１と、固定部２とを含んでいる。また、収容部１と固定部２とは、一体成形により一体的に形成されている。これにより製造コストを低減することが可能となる。また、分析装置用容器１００は、略透明のプラスチックなどの樹脂により形成されている。収容部１は、固定部２の略中央（図６参照）に形成されている。
【００３６】
収容部１は、図１に示すように、第１収容部１１と第２収容部１２とリブ１３とを含んでいる。また、収容部１には、試薬が収容されるように構成されている。また、収容部１は、試薬容器２００の底面積よりも小さい底面積を有している。これにより、試薬を試薬容器２００から分析装置用容器１００（収容部１）に移し替えることにより、試薬の液面（高さ）を高くすることが可能である。たとえば、１ｍｌの試薬が収容部１に収容された場合、液面は収容部１の底部１ｂ（図５参照）から約３１ｍｍの高さを有している。一方、１ｍｌの試薬が試薬容器２００に収容された場合、液面は収容部１の底部から約５ｍｍの高さを有している。この結果、小容量の試薬であっても試薬のデッドボリュームを低減することが可能である。
【００３７】
第１収容部１１は、略円筒形状に形成されている。また、第１収容部１１は、図５に示すように、収容部１の開口１ａ近傍の内径がＲ１であるように形成されている。また、第１収容部１１は、収容部１の底部１ｂ近傍の内径がＲ２であるように形成されている。すなわち、第１収容部１１は、収容部１の底部１ｂ側に向けて先細りになる略円錐台形状の内部空間を有している。
【００３８】
第２収容部１２は、略円筒形状に形成されているとともに、下端部が底部１ｂによって塞がれている。また、第２収容部１２は、収容部１の開口１ａ側の内径がＲ３であるように形成されている。また、第２収容部１２は、収容部１の底部１ｂ近傍の内径がＲ３であるように形成されている。すなわち、第２収容部１２は、略円柱形状の内部空間を有している。
【００３９】
リブ１３は、図６に示すように、第２収容部１２の側部（図７参照）に４つ設けられている。リブ１３は、第２収容部１２の長手方向（Ｚ方向）に沿って延びるように第２収容部１２（収容部１）の側面（外側面）に形成されている。また、リブ１３は、第２収容部１２の側面から底部１ｂの外表面（先端部１ｃ）にわたって延びるように形成されている。４つのリブ１３は、収容部１の底部１ｂ側（Ｚ２方向側）から見て、第２収容部１２を取り囲むように配置されている。また、４つのリブ１３は、互いに、略等間隔だけ隔てて配置されている。言い換えると、４つのリブ１３は、それぞれ、収容部１の底部１ｂ側から見て、第２収容部１２を中心として略９０度ごとに配置されている。また、図７に示すように、４つのリブ１３の先端部１３ａは、それぞれ、収容部１の底部１ｂの先端部（外表面）１ｃから長さＬだけ下方（Ｚ２方向）に向けて突出する（略同じ突出量Ｌを有する）ように形成されている。つまり、リブ１３ののうち収容部１の底部１ｂ（先端部１ｃ）に形成されている部分が、突出量Ｌを有している。また、４つのリブ１３の先端部１３ａは、水平面に対し、略平行になるように形成されている。
【００４０】
また、本実施形態では、固定部２は、図６に示すように、爪部２１と、孔部２２と、フランジ部２３とを含んでいる。また、固定部２は、補強リブ２４と、ストッパ部２５とを含んでいる。固定部２は、収容部１の外側に設けられている。また、固定部２は、図１に示すように、試薬容器２００の開口２０１の外周に設けられたネジ溝２０２に係合することにより収容部１を試薬容器２００に固定可能なように構成されている。また、固定部２は、収容部１の上端部から半径方向の外側に向けて延びる円形状の上面２ａと、上面２ａの外縁から下方（Ｚ２方向）に向けて延びる側部２ｂと、側部２ｂの裏面部分である内周面２ｃ（図５参照）を有している。
【００４１】
爪部２１は、図６に示すように、３つの爪部２１ａ〜２１ｃを含んでいる。また、爪部２１ａ〜２１ｃは、平面視において、収容部１から所定間隔だけ離間されて、収容部１を囲むように配置されている。また、爪部２１ａ〜２１ｃは、略水平方向に突出するように形成されている。爪部２１ａ〜２１ｃは、それぞれ、凸形状を有している。また、３つの爪部２１ａ〜２１ｃのうち、爪部２１ａおよび２１ｃは互いに対向するように構成されている。爪部２１ａ（２１ｂ）および２１ｂ（２１ｃ）は、互いに、略等間隔だけ隔てて配置されている。詳細には、爪部２１ａ（２１ｂ）および２１ｂ（２１ｃ）は、それぞれ、収容部１の底部１ｂ側から見て、収容部１を中心として略９０度ごとに配置されている。また、爪部２１ａ〜２１ｃは、それぞれ、試薬容器２００のネジ溝２０２（図１参照）に対応するように、収容部１が延びる方向（Ｚ方向）に対して異なる位置に配置されている。言い換えると、爪部２１ａ〜２１ｃは、それぞれ、試薬容器２００のネジ溝２０２に対応するように、分析装置用容器１００が試薬容器２００に挿入される方向（Ｚ方向）に対して異なる高さに配置されている。この爪部２１ａ〜２１ｃが試薬容器２００のネジ溝２０２に係合することにより、固定部２（分析装置用容器１００）は試薬容器２００に固定される。
【００４２】
孔部２２は、図８に示すように、３つの孔部２２ａ〜２２ｃを含んでいる。また、孔部２２ａ〜２２ｃは、固定部２の上面２ａおよび側面２ｂに切欠を設けることにより形成されている。３つの孔部２２ａ〜２２ｃは、固定部２に設けられている。また、３つの孔部２２ａ〜２２ｃは、それぞれ、上面２ａ側から見て、略台形形状を有している。また、３つの孔部２２ａ〜２２ｃは、それぞれ、側面２ｂ側から見て、略矩形形状（図７参照）を有している。孔部２２ａ（２２ｂ）および２２ｂ（２２ｃ）は、互いに、略等間隔だけ隔てて配置されている。詳細には、孔部２２ａ（２２ｂ）および２２ｂ（２２ｃ）は、それぞれ、収容部１の開口１ａ側（Ｚ１方向側）から見て、収容部１を中心として略９０度ごとに配置されている。また、孔部２２は、試薬容器２００のネジ溝２０２と爪部２１ａ〜２１ｃとの係合状態を視認可能な位置（図５参照）に配置されている。また、孔部２２ａ〜２２ｃは、それぞれ、平面視において、爪部２１ａ〜２１ｃに対応する（重なる）位置に配置されている。また、孔部２２ａ〜２２ｃは、分析装置用容器１００を把持する際の滑り止めとしても機能する。
【００４３】
フランジ部２３は、図１に示すように、固定部２の収容部１の底部１ｂ側（図６参照）（Ｚ２方向側）に形成されている。また、フランジ部２３は、平面視において、固定部２の縁部２ｄ近傍に形成されている。また、収容部１、固定部２およびフランジ部２３は、一体成形により形成されている。また、フランジ部２３は、図６に示すように、内周面２３ａを有する略円筒形状に形成されている。また、フランジ部２３は、固定部２の内径Ｒ４（爪部２１ｂと爪部２１ｂに対向する固定部の内面との距離）よりも大きい内径Ｒ５を有する。また、フランジ部２３は試薬容器２００とは異なる容器（たとえば、後述する採血管２６０など）の外周に係合するように構成されている。この点に関しては、後で詳細に説明する。
【００４４】
補強リブ２４は、固定部２の内面に複数個（たとえば、５個）形成さている。また、補強リブ２４は、それぞれ、収容部１の底部１ｂ側（Ｚ２方向側）から見て、収容部１を中心に放射状に広がるように形成されている。
【００４５】
ストッパ部２５は、固定部２の内面に１つ設けられている。ストッパ部２５は、分析装置用容器１００を試薬容器２００に固定（取り付け）する際（図６参照）に、爪部２１ａ〜２１ｃと、試薬容器２００のネジ溝２０２との螺合位置を規制するように構成されている。
【００４６】
ここで、本実施形態では、分析装置用容器１００は、図３および図９に示すように、試薬容器２００だけでなく、フランジ部２６１を有する採血管２６０や採血管２６０を搭載するラック２５０にも固定（取り付け）可能なように構成されている。採血管２６０および２７０は、ラック２５０の採血管支持部２５１の開口２５０ａからラック２５０（採血管支持部２５１）に挿入される。
【００４７】
具体的には、固定部２のフランジ部２３は、図９に示すように、フランジ部２３の内径Ｒ５（図６参照）と略同一の外径Ｒ５を有する採血管２６０とラック２５０とに固定されるように構成されている。詳細には、採血管２６０の開口２６０ａの外周２６０ｂ（ラック２５０の開口２５０ａの外周２５０ｂ）が外径Ｒ５を有しており、この採血管２６０の開口２６０ａの外周２６０ｂ（ラック２５０の開口２５０ａの外周２５０ｂ）にフランジ部２３（内周面２３ａ）が係合される。
【００４８】
また、本実施形態では、固定部２の内周面２ｃは、採血管２６０（外周２６０ｂ）の外径Ｒ５よりも小さい外径を有する採血管２７０の外周２７０ｂに係合するように構成されている。具体的には、固定部２は、爪部２１ｂと、固定部２の側部２ｂのうち爪部２１ｂと対向する対向部２ｅ（図６参照）との間の領域で採血管２７０に固定されるように構成されている。詳細には、固定部２は、固定部２の対向部２ｅと、爪部２１ａおよび２１ｃとの３箇所により、採血管２７０の開口２７０ａの外周２７０ｂに係合する（外周２７０ｂを挟み込む）ように構成されている。この場合、採血管２７０は、収容部１が延びる方向（Ｚ方向）から見て、固定部２の中心Ｃ（図６参照）から対向部２ｅ側に偏芯した状態で固定部２と固定される。
【００４９】
上記実施形態では、以下のような効果を得ることができる。
【００５０】
本実施形態では、上記のように、収容部１の外側に設けられ、試薬容器２００の開口２０１の外周に設けられたネジ溝２０２に係合することにより収容部１を試薬容器２００に固定可能な固定部２を設ける。これにより、固定部２とネジ溝２０２とを係合させて収容部１を試薬容器２００に確実に固定することができるので、吸引管を用いて分析装置用容器１００から試薬を分注する際に、例えばセンサー等の故障や誤動作により吸引管が収容部１（分析装置用容器１００）の底に当接し、例えば吸引管の吸引や鋭利に形成された先端が底部に刺さることにより、吸引管が上昇するに伴って、吸引管とともに分析装置用容器１００が持ち上げられることを抑制することができる。その結果、収容部１（分析装置用容器１００）が試薬容器２００から抜け出るのを抑制することができるので、分析装置用容器１００から試薬を分注する際に、分析装置用容器１００内の試薬が散乱するのを抑制することができる。また、試薬容器２００の開口２０１の外周に設けられたキャップ装着用のネジ溝２０２を固定部２を係合させるための係合部として流用することができるので、専用の容器を設ける必要がない。
【００５１】
また、本実施形態では、上記のように、ネジ溝２０２に係合する爪部２１ａ〜２１ｃを固定部２に設ける。これにより、分析装置用容器１００の爪部２１ａ〜２１ｃを試薬容器２００のネジ溝２０２に係合させる簡易な構造により、収容部１を試薬容器２００に固定することができる。
【００５２】
また、本実施形態では、上記のように、１組の爪部２１ａおよび２１ｃが互いに対向するように複数の爪部２１ａ〜２１ｃを構成する。これにより、互いに対向する１組の爪部２１ａおよび２１ｃにより試薬容器２００のネジ溝２０２を挟み込んだ状態で爪部２１ａ〜２１ｃをネジ溝２０２に係合させることができるので、安定した状態で収容部１を試薬容器２００に固定することができる。
【００５３】
また、本実施形態では、上記のように、採血管２６０の開口２６０ａを介して挿入可能な収容部１を設けるとともに、固定部２の収容部１の底部１ｂ側に形成されるとともに内周面２３ａを有するフランジ部２３を設け、固定部２の内径Ｒ４よりも大きい内径Ｒ５を有するとともに試薬容器２００とは異なる採血管２６０の外周２６０ｂ（ラック２５０の外周２５０ｂ）に係合するようにフランジ部２３の内周面２３ａを構成する。これにより、固定部２とフランジ部２３とにより、それぞれ、試薬容器２００と試薬容器２００とは異なる採血管２６０（ラック２５０）とに分析装置用容器１００を固定することができるので、試薬容器２００および採血管２６０（ラック２５０）に分析装置用容器１００を固定する場合でも、試薬容器２００および採血管２６０（ラック２５０）ごとに専用の分析装置用容器１００を設ける必要がない。その結果、ユーザの利便性を向上させることができる。
【００５４】
また、本実施形態では、上記のように、採血管２７０の開口２７０ａを介して挿入可能な収容部１を設けるとともに、採血管２７０の外周２７０ｂに係合するように固定部２の内周面２ｃを構成する。これにより、固定部２により、それぞれ、試薬容器２００および採血管２７０に分析装置用容器１００を固定することができるので、試薬容器２００および採血管２７０に分析装置用容器１００を固定する場合でも、試薬容器２００および採血管２７０ごとに専用の分析装置用容器１００を設ける必要がない。その結果、ユーザの利便性をより向上させることができる。
【００５５】
また、本実施形態では、上記のように、固定部２により試薬容器２００に着脱可能な状態で固定されるように収容部１を構成する。これにより、一旦、分析装置用容器１００を試薬容器２００に固定した後、分析装置用容器１００を試薬容器２００から取り外す必要が生じた場合でも、容易に、分析装置用容器１００を試薬容器２００から取り外すことができる。また、一旦、分析装置用容器１００を試薬容器２００に固定した後、分析装置用容器１００を試薬容器２００から取り外すことができるので、容易に、分析装置用容器１００と試薬容器２００とを分別して廃棄することができる。
【００５６】
また、本実施形態では、上記のように、固定部２に孔部２２（２２ａ〜２２ｃ）を設け、ネジ溝２０２に対する固定部２の係合状態を視認可能な位置に孔部２２（２２ａ〜２２ｃ）を配置する。これにより、孔部２２（２２ａ〜２２ｃ）を介して、ネジ溝２０２に対する固定部２の係合状態を容易に視認することができる。
【００５７】
また、本実施形態では、上記のように、略円筒形状に収容部１を形成し、収容部１の側面に収容部１の複数のリブ１３を形成する。また、収容部１の底部１ｂ側の先端部１ｃから突出するように複数のリブ１３を形成する。これにより、分析装置用容器１００を単体でもテーブルなどの上に安定して配置することができる。
【００５８】
また、本実施形態では、上記のように、ガラス製の試薬容器２００に固定可能なように樹脂製の固定部２を構成する。これにより、樹脂により爪部２１ａ〜２１ｃなどを有する固定部２を容易に形成することができる。また、ガラス製の試薬容器２００を用いる場合、固定部２が樹脂製の分析装置用容器１００に対して分析装置用容器１００の自重が大きくなるので、分析装置用容器１００から試薬を分注する際に、吸引管が上昇するのに伴って、試薬容器２００に固定された収容部１が試薬容器２００と共に持ち上げられるのを抑制することができる。
【００５９】
また、本実施形態では、上記のように、収容部１を略透明に形成する。これにより、試薬を収容部１に収容した際に、気泡などが混入したか否かを容易に確認することができる。
【００６０】
また、本実施形態では、上記のように、収容部１および固定部２を一体成形する。このように構成すれば、別個に形成した収容部１および固定部２を一体化して分析装置用容器１００を形成する場合とは異なり、部品点数を削減することができる。
【００６１】
また、本実施形態では、上記のように、試薬容器２００に収容された試薬に加えて、採血管２６０に収容された検体を移し替えることが可能であり、固定部２の収容部１の底部１ｂ側に形成されるとともに内周面２３ａを有するフランジ部２３を含むように分析装置用容器１００を構成する。また、試薬に加えて、検体を収容可能に収容部１を構成し、固定部２の内径Ｒ４よりも大きい内径Ｒ５を有するとともに採血管２６０の外周２６０ｂに係合するようにフランジ部２３の内周面２３ａを構成する。これにより、固定部２とフランジ部２３とにより、試薬容器２００と採血管２６０とに分析装置用容器１００を固定することができるので、試薬容器２００および採血管２６０ごとに専用の分析装置用容器を設ける必要がない。その結果、ユーザの利便性を向上させることができる。
【００６２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６３】
たとえば、上記実施形態では、収容部のネジ溝と係合する爪部を分析装置用容器の固定部に設けた例を示したが、本発明はこれに限られない。本発明では、収容部のネジ溝と係合するネジ溝など、収容部のネジ溝と係合する爪部以外の部材を、分析装置用容器の固定部に設けてもよい。
【００６４】
また、上記実施形態では、３つの爪部を固定部に設けた例を示したが、本発明はこれに限られない。本発明では、１つ、２つ、または、４つ以上の爪部が固定部に設けられていてもよい。
【００６５】
また、上記実施形態では、１組の爪部が互いに対向する例を示したが、本発明はこれに限られない。本発明では、２組以上の爪部が互いに対向していてもよい。
【００６６】
また、上記実施形態では、固定部にフランジ部を設ける例を示したが、本発明はこれに限られない。本発明では、固定部にフランジ部を設けなくてもよい。
【００６７】
また、上記実施形態では、固定部よりも大きい内径を有するフランジ部（第１のフランジ部）を設ける例を示したが、本発明はこれに限られない。本発明では、固定部よりも大きい内径を有する第１のフランジ部に加え、固定部および第１のフランジ部より大きい内径を有する第２のフランジ部を設けてもよい。これにより、固定部と第１のフランジ部と第２のフランジ部との各々により、試薬容器と、試薬容器とは異なる検体容器と、試薬容器および検体容器とは異なる他の容器に分析装置用容器を固定することができるので、試薬容器、検体容器および他の容器ごとに専用の分析装置用容器を設ける必要がない。その結果、ユーザの利便性をより向上させることができる。
【００６８】
また、上記実施形態では、分析装置用容器の収容部が、試薬容器に着脱可能に固定される例を示したが、本発明はこれに限られない。本発明では、分析装置用容器が試薬容器に着脱不可能に固定されていてもよい。
【００６９】
また、上記実施形態では、分析に使用される液体としての試薬または検体を収容部に収容する例を示したが、本発明はこれに限られない。本発明では、分析に使用される液体であれば、試薬または検体以外の液体を収容部に収容してもよい。
【００７０】
また、上記実施形態では、孔部が、分析装置用容器の固定部に設けられている例を示したが、本発明はこれに限られない。本発明では、分析装置用容器の固定部に孔部を設けなくてもよい。
【００７１】
また、上記実施形態では、収容部が略円筒形状である例を示したが、本発明はこれに限られない。本発明では、収容部が、たとえば、略角柱形状など、略円筒形状以外の形状であってもよい。
【００７２】
また、上記実施形態では、固定部をプラスチックにより形成し、試薬容器をガラスにより形成する例を示したが、本発明はこれに限られない。本発明では、固定部をプラスチック以外の材料により形成してもよいし、試薬容器をガラス以外の材料により形成してもよい。
【００７３】
また、上記実施形態では、分析装置用容器が透明である例を示したが、本発明はこれに限られない。本発明では、分析装置用容器が半透明または有色であってもよい。
【符号の説明】
【００７４】
１  収容部
１ｂ  底部
１ｃ  先端部
２  固定部
２ｃ  内周面
１３  リブ
２１、２１ａ〜２１ｃ  爪部
２２、２２ａ〜２２ｃ  孔部
２３  フランジ部
２３ａ  内周面
１００  分析装置用容器
２００  試薬容器
２０１  開口
２０２  ネジ溝
２５０ａ、２５０ｂ  開口
２５０ｂ、２７０ｂ  外周
２７０  採血管
３００、３１０  分析装置用容器セット
【図１】
2015025687.tif 000003
【図２】
2015025687.tif 000004
【図３】
2015025687.tif 000005
【図４】
2015025687.tif 000006
【図５】
2015025687.tif 000007
【図６】
2015025687.tif 000008
【図７】
2015025687.tif 000009
【図８】
2015025687.tif 000010
【図９】
2015025687.tif 000011